(57)【要約】【課題】屋外等に設置して種々の表示を行うための看板装置であって、風圧による転倒が防止され、設置及び撤去作業や運搬作業を容易に安全に行うことができ、表示の切り替えや変更が容易に行える看板装置を提供する。【解決手段】複数の通気孔１が形成された複数の剛性を有する表示板２と、各表示板２の周囲部を支持する支持枠３とを備え、支持枠３は、各表示板２の各通気孔１が互いに重なる状態として各表示板２を位置決めして保持する。また、表示板２における表示は、この表示板２の表面に貼着される粘着表示シート上に描かれており、粘着表示シートは、表示板２の各通気孔１に対応する複数の通気孔を有し、これら通気孔と表示板２の各通気孔１とが互いに重なる状態として表示板２に貼着される。【選択図】図１
2015038588.tif 000002
【特許請求の範囲】
【請求項１】
それぞれに複数の通気孔が形成された複数枚の剛性を有する表示板と、
前記複数枚の表示板の周囲部を支持し、これら表示板を位置決めして重ねて保持する支持枠と
を備え、
前記支持枠は、前記複数枚の表示板の各通気孔が互いに重なる状態として、各表示板を位置決めして保持する
ことを特徴とする看板装置。
【請求項２】
前記表示板における表示は、この表示板の表面に貼着される粘着表示シート上に描かれており、
前記粘着表示シートは、前記表示板の各通気孔に対応する複数の通気孔を有しており、これら通気孔と前記表示板の各通気孔とが互いに重なる状態として、前記表示板の表面に貼着される
ことを特徴とする請求項１記載の看板装置。
【発明の詳細な説明】
【技術分野】
【０００１】
本発明は、野外に設置して、種々の告知、案内表示、または、宣伝、広告等を行うための看板装置に関する。
【背景技術】
【０００２】
従来、野外に設置して、種々の告知、案内表示、または、宣伝、広告等を行うための看板装置が提案されている。例えば、特許文献１に記載されているように、道路表面を除去して行う電気工事や水道工事等においては、工事区間の前後に、工事区間である旨の告知及び迂回路を案内する表示を行う看板装置が設置される。
【０００３】
このような看板装置は、鋼板等の剛性を有する表示板と、この表示板を支持する支持枠とから構成されている。表示板の表面には、告知や案内の内容が印刷されている。支持枠には、この支持枠が立設されるための脚部が取り付けられている。
【先行技術文献】
【特許文献】
【０００４】
【特許文献１】特開平０８−０３６３６４号公報
【発明の概要】
【発明が解決しようとする課題】
【０００５】
ところで、前述したような看板装置は、強風時においては風圧を受け、転倒してしまう虞がある。風圧による転倒を防止するためには、支持枠の自重を大きくしたり、支持枠及び脚部を錘によって押さえる必要がある。あるいは、転倒防止は、支持枠を固定物（道路標識の支柱や電柱など）に対して締着させることによって行われている。
【０００６】
支持枠の自重を大きくしたり、支持枠及び脚部を押さえる錘を用いることは、この看板装置の設置及び撤去作業や運搬作業を、困難で危険を伴うものとしてしまう。
【０００７】
また、支持枠を固定物に対して締着させることは、この看板装置の設置及び撤去作業を煩雑なものとしてしまう。
【０００８】
また、前述したような看板装置においては、支持枠には、一枚の表示板しか支持されないため、表示の切り替えを行う場合には、表示板を交換しなければならない。また、表示板の表面に印刷された告知や案内の内容は、これを変更する場合には、印刷を除去した後に再び印刷をしなければならず、煩雑である。
【０００９】
そこで、本発明は、上述の実情に鑑みて提案されるものであって、屋外等に設置して種々の表示を行うための看板装置であって、風圧による転倒が防止され、また、設置及び撤去作業や運搬作業を容易に安全に行うことができ、さらに、表示の切り替えや変更が容易に行えるようになされた看板装置を提供することを目的とする。
【課題を解決するための手段】
【００１０】
本発明は、上記課題を解決し上記目的を達成するため、以下の構成を有するものである。
【００１１】
〔構成１〕
それぞれに複数の通気孔が形成された複数枚の剛性を有する表示板と、複数枚の表示板の周囲部を支持しこれら表示板を位置決めして重ねて保持する支持枠とを備え、支持枠は、複数枚の表示板の各通気孔が互いに重なる状態として、各表示板を位置決めして保持することを特徴とするものである。
【００１２】
〔構成２〕
構成１を有する看板装置において、表示板における表示は、この表示板の表面に貼着される粘着表示シート上に描かれており、粘着表示シートは、表示板の各通気孔に対応する複数の通気孔を有しており、これら通気孔と表示板の各通気孔とが互いに重なる状態として、表示板の表面に貼着されることを特徴とするものである。
【発明の効果】
【００１３】
構成１を有する看板装置においては、支持枠は、複数枚の表示板の各通気孔が互いに重なる状態として、各表示板を位置決めして保持するので、風圧を受けたとき、複数枚の表示板が重なっていても、各通気孔によって風圧が逃がされ、転倒が防止される。
【００１４】
また、支持枠の自重を大きくしたり、支持枠を押さえる錘を用いたり、固定物に対して締着させる必要がないので、設置及び撤去作業や運搬作業を容易に安全に行うことができる。
【００１５】
そして、支持枠は、複数枚の表示板を重ねて保持するので、表示の切り替えを行う場合には、支持枠内における表示板の位置を入れ替えるだけでよい。
【００１６】
構成２を有する看板装置においては、表示板における表示は、この表示板の表面に貼着される粘着表示シート上に描かれており、粘着表示シートは、表示板の各通気孔に対応する複数の通気孔を有しており、これら通気孔と表示板の各通気孔とが互いに重なる状態として、表示板の表面に貼着されるので、風圧を受けたとき、粘着表示シートの各通気孔及び表示板の各通気孔によって風圧が逃がされ、転倒が防止される。
【００１７】
また、表示の変更は、予め用意した複数の粘着表示シートを貼り替えるだけでよいので、容易に行える。
【００１８】
すなわち、本発明は、風圧による転倒が防止され、また、設置及び撤去作業や運搬作業を容易に安全に行うことができ、さらに、表示の切り替えや変更が容易に行えるようになされた看板装置を提供することができるものである。
【図面の簡単な説明】
【００１９】
【図１】本発明に係る看板装置の構成を示す斜視図である。
【図２】本発明に係る看板装置の要部の構成を示す側面図である。
【図３】本発明に係る看板装置の要部の構成を示す正面図である。
【図４】本発明に係る看板装置の他の構成を示す上面図（ａ）、正面図（ｂ）及び側面図（ｃ）である。
【図５】図４に示した看板装置の要部の構成を示す横断面図である。
【発明を実施するための形態】
【００２０】
以下、本発明に係る看板装置の実施の形態について、図面を参照しながら説明する。
【００２１】
図１は、本発明に係る看板装置の構成を示す斜視図である。
【００２２】
この看板装置は、図１に示すように、それぞれに複数の通気孔１が形成された複数枚の表示板２を有している。これら表示板２は、鋼板や、合成樹脂材料等からなり、それぞれが十分な剛性を有して平板状に構成されている。
【００２３】
そして、この看板装置は、複数枚の表示板２の周囲部を支持し、これら表示板２を位置決めして重ねて保持する支持枠３を有している。この支持枠３は、鋼材や、合成樹脂材料等からなる枠体３ｐを有し、十分な剛性を有して構成されている。支持枠３の背面部には、この支持枠３が立設されるための脚部４が取り付けられており、支持枠３は、自立することができる。
【００２４】
この実施形態における支持枠３は、上段枠部３ａ（高さ１２００ｍｍ）及び下段枠部３ｂ（高さ２００ｍｍ）のそれぞれにおいて、各枠部３ａ，３ｂに対応した大きさの表示板２を保持するようになっている。上段枠部３ａ及び下段枠部３ｂのそれぞれの幅は、５００ｍｍ程度である。上段枠部３ａ及び下段枠部３ｂによって保持された表示板２は、一平面を成すようになっている。すなわち、上段枠部３ａ及び下段枠部３ｂを構成する枠体３ｐの側辺部は、直線状となっている。
【００２５】
なお、支持枠３は、全体として１つの枠部となっているものとしてもよく、また、その大きさは適宜設定することができる。
【００２６】
支持枠３には、各枠部３ａ，３ｂのそれぞれにおいて、表示板２を保持するためのガイド片５が適宜の箇所に取り付けられている。各枠部３ａ，３ｂのそれぞれにおいて、表示板２は、図１中矢印Ａで示すように、側方より挿入されて保持される。
【００２７】
図２は、本発明に係る看板装置の要部の構成を示す側面図である。
【００２８】
支持枠３は、図１及び図２に示すように、各枠部３ａ，３ｂのそれぞれにおいて、枠体３ｐ及びガイド片５により、複数枚の表示板２を重ねて保持するようになっている。そして、各枠部３ａ，３ｂのそれぞれにおいて、複数枚の表示板２は、各通気孔１が互いに重なる状態として、位置決めされて保持される。
【００２９】
図３は、本発明に係る看板装置の要部の構成を示す正面図である。
【００３０】
また、図３に示すように、表示板２が挿入される側の反対側の側辺部には、表示板２の隅部（側縁部及び下縁部、側縁部及び上縁部）を保持するためのＬ字状のガイド片５が取り付けられている。
【００３１】
この看板装置においては、表示板２の差し替え、及び、重ねられた表示板２の前後位置の交代を容易に行うことができる。
【００３２】
各表示板２における表示は、この表示板２の表面に貼着される粘着表示シート上に描かれている。粘着表示シートは、薄い合成樹脂シートや金属シートからなり、表面への印刷によって、所望の表示を描くことができる。
【００３３】
粘着表示シートは、表示板２の各通気孔１に対応する複数の通気孔を有しており、これら通気孔と表示板２の各通気孔１とが互いに重なる状態として、表示板２の表面に貼着される。
【００３４】
この看板装置においては、表示板２における表示を変更する場合には、粘着表示シートを貼り替えればよく、表示板２自体は引き続き使用することができる。すなわち、同一の表示板２を粘着表示シートを替えながら長く使用することでき、製造材料の削減、廃棄物の削減を図ることができる。
【００３５】
この看板装置において、通気孔１の好ましい大きさ及び開口率（面積比）は、例えば、孔径８ｍｍで、１６ｍｍピッチで、６０°千鳥配置とする。開口率は、２２．６％となる。この条件における実験結果は、風速１０ｍ／sec乃至１２ｍ／secにおいて、通気孔１内での風速は２．０ｍ／secとなり、よって、看板装置全体が受ける風圧を１５％乃至２０％低減できることがわかった。
【００３６】
孔径を大きくし、または、孔ピッチを狭め、開口率を大きくすることにより、看板装置全体が受ける風圧をさらに低減させることができる。ただし、開口率を大きくし過ぎると、表示がみづらくなってしまう。したがって、前述した条件が最適値であり、この値を中心として、風圧の低減を重視するか、表示の見易さを重視するかによって、適宜の幅をもって設定することができる。
【００３７】
図４は、本発明に係る看板装置の他の構成を示す上面図（ａ）、正面図（ｂ）及び側面図（ｃ）である。
【００３８】
また、この看板装置は、図４に示すように、支持枠３の枠体３ｐを円柱体で構成してもよい。枠体３ｐをなす円柱体は、鋼材や、合成樹脂材料等からなり、十分な剛性を有して構成されている。支持枠３の両側辺部及び下辺部を構成する円柱体からなる枠体３ｐは、直線状となっている。支持枠３の上辺部は、平板状の板体３ｑによって構成されている。この板体３ｑは、着脱可能としてもよい。
【００３９】
支持枠３の背面部には、この支持枠３が立設されるための脚部４が取り付けられており、支持枠３は、自立することができる。
【００４０】
この実施形態における支持枠３は、全体として１つの枠部となっており、この枠部に対応した大きさ（例えば、高さ１３８５ｍｍ、幅４７０ｍｍ）の表示板２を保持するようになっている。支持枠３の幅は、５００ｍｍ程度である。枠体３ｐをなす円柱体の直径は、例えば、６０ｍｍである。表示板２は、前述したものと同様である。
【００４１】
図５は、図４に示した看板装置の要部の構成を示す横断面図である。
【００４２】
支持枠３の両側辺部及び下辺部を構成する円柱体からなる枠体３ｐには、図４及び図５に示すように、それぞれが表示板２を保持するための複数のガイド溝６が設けられている。各表示板２は、図４中矢印Ｂで示すように、上方より挿入されて保持される。
【００４３】
支持枠３は、図４及び図５に示すように、枠体３ｐのガイド溝６により、複数枚の表示板２を重ねて保持するようになっている。そして、複数枚の表示板２は、各通気孔１が互いに重なる状態として、位置決めされて保持される。
【００４４】
この看板装置においては、表示板２の差し替え、及び、重ねられた表示板２の前後位置の交代を容易に行うことができる。
【００４５】
このように、支持枠３の枠体３ｐを円柱体で構成することにより、歩行者等が接触したときの衝撃を和らげることができる。
【産業上の利用可能性】
【００４６】
本発明は、野外に設置して、種々の告知、案内表示、または、宣伝、広告等を行うための看板装置に適用される。
【符号の説明】
【００４７】
１    通気孔
２    表示板
３    支持枠
３ａ  上段枠部
３ｂ  下段枠部
４    脚部
５    ガイド片
６    ガイド溝
【図１】
2015038588.tif 000003
【図２】
2015038588.tif 000004
【図３】
2015038588.tif 000005
【図４】
2015038588.tif 000006
【図５】
2015038588.tif 000007